(57)【特許請求の範囲】
【請求項１】
枠状に形成されたマスクフレームに、平板に多数のスロット孔が形成されたシャドウマスクが縦方向に引張力が印加された状態で架張保持されている陰極線管であって、
前記シャドウマスクは、縦方向に隣接する前記スロット孔をつなぐブリッジが形成され、
前記スロット孔には、前記スロット孔の横方向の両端部から前記スロット孔内に突出し互いに対向した突出部が形成されていることを特徴とする陰極線管。
【請求項２】
枠状に形成されたマスクフレームに、平板に多数のスロット孔が形成されたシャドウマスクが縦方向に引張力が印加された状態で架張保持されている陰極線管であって、
前記シャドウマスクは、縦方向に隣接する前記スロット孔をつなぐブリッジが形成され、
前記スロット孔には、前記スロット孔の横方向の両端部から前記スロット孔内に突出し互いに対向した突出部が形成されており、
前記突出部は、前記スロット孔内に１ｍｍ以内の縦ピッチで配列され、前記ブリッジの縦ピッチは、１．５〜３０ｍｍの範囲内であることを特徴とする陰極線管。
【請求項３】
横方向に隣接する前記スロット孔の列間の前記ブリッジ及び前記突出部は、縦方向に位置がずれており、前記ブリッジの位置のずれは前記スロット孔の縦ピッチの１／２から１／５の範囲内である請求項１又は２に記載の陰極線管。
【請求項４】
前記スロット孔における横方向に隣接する一対の突出部の面積は、前記ブリッジ1個分の面積に対して２０〜１２０％の範囲内である請求項１又は２に記載の陰極線管。
【請求項５】
前記突出部の縦ピッチが、前記シャドウマスクの部位によって異なる請求項１又は２に記載の陰極線管。
【請求項６】
前記ブリッジの縦ピッチが、前記シャドウマスクの部位によって異なる請求項１又は２に記載の陰極線管。
【請求項７】
前記ブリッジの縦方向幅が、前記シャドウマスクの部位によって異なる請求項１又は２に記載の陰極線管。
【請求項８】
前記突出部の縦方向幅が、前記シャドウマスクの部位によって異なる請求項１又は２に記載の陰極線管。
【請求項９】
枠状に形成されたマスクフレームに、平板に多数のスロット孔が形成されたシャドウマスクが縦方向に引張力が印加された状態で架張保持されている陰極線管であって、
前記シャドウマスクは、縦方向に隣接する前記スロット孔をつなぐブリッジが形成されていて、前記スロット孔は、前記シャドウマスクの周辺付近で中央付近よりもその縦方向長さが長く、
前記周辺付近での前記スロット孔には、前記スロット孔の横方向の両端部から前記スロット孔内に突出し互いに対向した突出部が形成されていることを特徴とする陰極線管。
【発明の詳細な説明】
【０００１】
【発明の属する技術分野】
本発明は、テレビ受像機、コンピューターディスプレイ等に用いられるシャドウマスク型の陰極線管に関する。
【０００２】
【従来の技術】
従来のカラー陰極線管の一例の断面図を図３に示す。本図に示したカラー陰極線管１は、内面に蛍光体スクリーン面が形成された実質的に長方形状のフェイスパネル２と、フェイスパネル２の後方に接続されたファンネル３と、ファンネル３のネック部３ａに内蔵された電子銃４と、フェイスパネル２の内部に蛍光体スクリーン面２ａに対向して設けられたシャドウマスク６と、これを固定するマスクフレーム７とを備えている。また、電子ビームを偏向走査するために、ファンネル３の外周面上には偏向ヨーク５が設けられている。
【０００３】
シャドウマスク６は、電子銃４から発射される３本の電子ビームに対して色選別の役割を果たすものである。Ａは、電子ビーム軌跡を示している。以下、このシャドウマスク６を、スロット型シャドウマスクとして説明する。スロット型シャドウマスクには、平板に略長方形状の電子ビーム通過孔であるスロット孔がエッチングにより多数形成されている。
【０００４】
カラー陰極線管では、電子ビーム吸収による熱膨張によって、電子ビーム通過孔が変位して、電子ビーム通過孔を通過する電子ビームが所定の蛍光体に正しく当たらなくなり、色むらが発生するというドーミング現象が生じる。このため、シャドウマスクの温度上昇による熱膨張を吸収できるような張力（テンション）をあらかじめ加えて、シャドウマスクをマスクフレームに架張保持することが行われている。このような、架張保持によれば、シャドウマスクの温度が上昇しても、シャドウマスクのスロット孔と蛍光体スクリーン面の蛍光体ストライプとの相互位置のずれを低減することができる。
【０００５】
図５に、主に画面垂直方向に張力をかけるシャドウマスクとしてスロット型シャドウマスクの一例の平面図を示す。図の矢印ｘ方向が画面水平方向で、矢印ｙ方向が画面垂直方向である。スロット孔８は一定のピッチで形成されている。９で示した各スロット孔８間の部分がブリッジと呼ばれている。ブリッジ幅は、シャドウマスクの機械的強度に影響し、ブリッジ幅が狭くなると、特に水平方向の引張に弱くなる。機械的強度を向上させるためにブリッジ幅を大きくするとスロット孔の開口面積が狭くなるため、輝度特性が低下してしまう。
【０００６】
また、前記のように、ブリッジ幅は、機械的強度、輝度特性と関係しているが、ブリッジの縦ピッチは、シャドウマスクのドーミング量とも関係している。シャドウマスクは主に縦方向に引張られており、縦方向への熱膨張は張力によって吸収されるが、横方向への熱膨張はブリッジによって横へ伝わるからである。
【０００７】
図４に、ブリッジピッチとドーミング量との関係の一例（ここでは、２５インチテレビ用陰極線管の例）を示す。本図から、ブリッジピッチを大きくするほど、ドーミング量を小さくできることが分かる。
【０００８】
【発明が解決しようとする課題】
しかしながら、前記のような従来のカラー陰極線管には以下のような問題があった。ブリッジの縦ピッチを大きくすれば、ドーミング量を小さく抑えることができ、スロット孔の開口面積の増加により輝度特性も向上する。しかしこの場合は、一定間隔で並んだ電子ビームの走査線（輝線）と、シャドウマスクの電子ビーム通過孔の規則正しいパターンとの相互干渉縞であるモアレ縞が発生し易く、画質劣化の一因となっていた。
【０００９】
また、ブリッジの縦ピッチを大きくすると、ブリッジ自身が画面上に点在して見えるという問題も生じる。また、ブリッジが積み重なった模様（ブリック状模様）として認識される場合もある。
【００１０】
逆に、ブリッジピッチを小さくすれば、モアレ縞は十分に抑制され、ブリッジ自身が目立つこともなくなる。しかし、走査線の遮蔽面積が大きくなり輝度特性が低下するとともに、ドーミング量も大きくなる。すなわち、ドーミング量の抑制と、モアレ縞発生の抑制とを両立させることは、困難であった。
【００１１】
本発明は、前記のような従来の問題を解決するものであり、テンション方式のシャドウマスクにおいてスロット孔内に互いに対向する突出部を形成することにより、ドーミング量の抑制と、モアレ縞発生の抑制とを両立させた陰極線管を提供することを目的とする。
【００１２】
【課題を解決するための手段】
前記目的を達成するために、本発明の第１番目の陰極線管は、枠状に形成されたマスクフレームに、平板に多数のスロット孔が形成されたシャドウマスクが縦方向に引張力が印加された状態で架張保持されている陰極線管であって、前記シャドウマスクは、縦方向に隣接する前記スロット孔をつなぐブリッジが形成され、前記スロット孔には、前記スロット孔の横方向の両端部から前記スロット孔内に突出し互いに対向した突出部が形成されていることを特徴とする。前記のような陰極線管によれば、熱膨張によるドーミング量を抑えつつ、モアレ縞の発生を抑えることができる。
【００１３】
次に、本発明の第２番目の陰極線管は、枠状に形成されたマスクフレームに、平板に多数のスロット孔が形成されたシャドウマスクが縦方向に引張力が印加された状態で架張保持されている陰極線管であって、前記シャドウマスクは、縦方向に隣接する前記スロット孔をつなぐブリッジが形成され、前記スロット孔には、前記スロット孔の横方向の両端部から前記スロット孔内に突出し互いに対向した突出部が形成されており、前記突出部は、前記スロット孔内に１ｍｍ以内の縦ピッチで配列され、前記ブリッジの縦ピッチは、１．５〜３０ｍｍの範囲内であることを特徴とする。
突出部の縦ピッチが１ｍｍ以内であれば、複数放送方式の場合であっても、一つのシャドウマスク構造で各放送方式に対してモアレ縞発生を抑制することが可能になる。また、ブリッジの縦ピッチを１．５〜３０ｍｍの範囲内とすることにより、ドーミング量を一定値以下に抑えることができ、かつ一定の輝度特性及び機械的強度を確保しつつ、シャドウマスクの振動を実用範囲内に抑えることができる。
前記第１番目又は２番目の陰極線管においては、横方向に隣接する前記スロット孔の列間の前記ブリッジ及び前記突出部は縦方向に位置がずれており、前記ブリッジの位置のずれは前記スロット孔の縦ピッチの１／２から１／５の範囲内であることが好ましい。前記のような陰極線管によれば、モアレ縞発生をより抑制させることができ、ブリッジの縦方向の位置ずれによる斜め方向のモアレ縞についても目立たない程度に抑制することができる。
【００１５】
また、前記スロット孔における横方向に隣接する一対の突出部の面積は、前記ブリッジ1個分の面積に対して２０〜１２０％の範囲内であることが好ましい。前記のような陰極線管によれば、モアレ縞発生の抑制しつつ、輝度特性も確保できる。
【００１６】
また、前記突出部の縦ピッチが、前記シャドウマスクの部位によって異なることが好ましい。このようにすれば、モアレ縞の発生しやすい部位に応じてモアレ抑制効果を上げることができる。
【００１７】
また、前記ブリッジの縦ピッチが、前記シャドウマスクの部位によって異なることが好ましい。これにより、シャドウマスクの機械的強度、及び熱の伝達量をシャドウマスクの部位に応じて変化させることができる。
【００１８】
また、前記ブリッジの縦方向幅が、前記シャドウマスクの部位によって異なることが好ましい。このようにすると、シャドウマスクの張力分布を考慮してブリッジの強度を必要に応じて変化させることができる。
【００１９】
また、前記突出部の縦方向幅が、前記シャドウマスクの部位によって異なることが好ましい。これにより、突出部によるビーム遮蔽効果をシャドウマスクへのビーム入射角度に応じて変化させて、輝度を確保することができる。
【００２０】
次に本発明の第３番目の陰極線管は、枠状に形成されたマスクフレームに、平板に多数のスロット孔が形成されたシャドウマスクが縦方向に引張力が印加された状態で架張保持されている陰極線管であって、前記シャドウマスクは、縦方向に隣接する前記スロット孔をつなぐブリッジが形成されていて、前記スロット孔は、前記シャドウマスクの周辺付近で中央付近よりもその縦方向長さが長く、前記周辺付近での前記スロット孔には、前記スロット孔の横方向の両端部から前記スロット孔内に突出し互いに対向した突出部が形成されていることを特徴とする。前記のような陰極線管によれば、引張力を与える基準となる中央部ではシャドウマスクの強度を確保し、かつ、周辺部で生じ易い熱ドーミングを抑制することができる。
【００２１】
【発明の実施の形態】
以下、本発明の一実施形態について、図面を用いて説明する。図３を用いて説明したカラー陰極線管の各構成は、本実施形態でも同様であるので、その説明は省略する。
【００２２】
図１（ａ）に、色選別電極の一実施形態の斜視図を示している。マスクフレーム１０は、長方形状の枠体で、長辺フレームである対向する一対の支持体１１に短辺フレームである一対の弾性部材１２が固定されている。シャドウマスク１３は、スロット型で多数の略長方形状の電子ビーム通過孔であるスロット孔１４がエッチングにより形成されている。本図に示したものは、テンション方式が用いられており、シャドウマスク１３は主に矢印Ｙ方向に引張力が加わった状態で、支持体１１間に架張保持されている。図１（ｂ）に、スロット孔１４の拡大図を示している。図１（ａ）では省略しているが、スロット孔１４には、突出部１４ａ、１４ｂが形成されている。
【００２３】
なお、図１（ｂ）では、スロット孔１４及び突出部１４ａ、１４ｂの形状は矩形状の例を示しているが、これに限らず、図６のように、スロット孔２３及び突出部２４ａ、２４ｂの角が丸みを帯びた形状でもよく、図７のように、スロット孔２５の突出部２６ａ、２６ｂが徐々に突出する形状となってもよい。特に、図７のような形状は、シャドウマスクを製造する際に主として用いられるエッチング法では実現し易く、実用的である。突出部については、後にさらに詳細を説明する。
【００２４】
図２に、スロット型シャドウマスクの一実施形態の平面図を示している。図２（ｂ）は、図２（ａ）の一部を拡大した図である。図の縦方向が画面垂直方向で、横方向が画面水平方向である。縦方向に隣接するスロット孔２０は、ブリッジ２１でつながっている。スロット孔２０内には、突出部２２ａ、２２ｂが形成されている。これら突出部２２ａ、２２ｂは、スロット孔２０の横方向の両端部から突出しており、突出部２２ａ、２２ｂの各先端部は対向している。突出部２２ａと２２ｂとは分離しているので、これら一対の突出部２２ａ、２２ｂの形成部分では、スロット孔２０が狭められた状態になっている。
【００２５】
本実施形態のようなシャドウマスクを用いれば、特に横方向への熱膨張によるドーミング量をを抑えつつ、モアレ縞の発生を抑えることができる。その理由について、以下具体的に説明する。図４に示したブリッジの縦ピッチとドーミング量との関係図から分かるように、ブリッジの縦ピッチを大きくすれば、ドーミング量を小さく抑えることが可能になる。また、ブリッジの縦ピッチを大きくすれば、スロット孔の開口面積も増加するので、輝度特性も向上する。
【００２６】
ただし、この場合ブリッジピッチを大きくすると、モアレ縞発生の原因となってしまい、モアレ縞発生の抑制のためには、ブリッジピッチを小さくする必要がある。
【００２７】
また、例えば輝度特性の低下を抑えるために、ブリッジの面積を小さくすれば、機械的強度が不足し、特に縦方向の応力に付随した横方向の応力によってブリッジが破れ、シャドウマスクのしわの原因になってしまう。
【００２８】
この問題を解決するのが、一対の突出部２２ａ、２２ｂである。突出部２２ａ、２２ｂが形成されていることにより、実質的に走査線をカットする効果を得ることができる。その上、突出部２２ａと２２ｂとは分離しており、縦方向の応力のみならず、縦方向の応力に付随した横方向の応力も加わらないので、機械的強度の点でも問題がない。
【００２９】
さらに、突出部２２ａ、２２ｂは、スロット孔を横方向に完全に塞ぐわけではなく、前記のように応力も加わらないので、例えば縦方向の幅を小さくしても差し支えなく、輝度特性の低下も抑えることができる。すなわち、本実施形態によれば、機械的強度及び輝度を確保しつつ、主に縦方向に張力をかけるシャドウマスクのドーミング量の抑制と、モアレ縞発生の抑制とを両立させることができる。
【００３０】
また、モアレ縞発生の抑制のためには、横方向に隣接するスロット孔列の間でブリッジ及び突出部を、横方向に位置をずらすことが好ましい。このような位置のずらしにより、走査線とスロット孔パターンとの相互干渉を抑制できるので、モアレ縞発生の抑制に、より効果的である。隣接するブリッジの位置のずれ量ｄ（図２）は、小さいほど、同一水平線上において隣接するブリッジ間の距離が長くなるので、水平方向のモアレ縞発生の抑制には有効である。ただし、位置のずれ量は小さくなり過ぎると、斜め方向のモアレ縞が目立つようになる。このため、位置のずれ量ｄはスロット孔２０の縦ピッチＰ（ブリッジ２１の縦ピッチ）の１／２から１／５の範囲内が好ましい。
【００３１】
また、図２（ｂ）に示したように、突出部２２ａ、２２ｂの縦ピッチｅは１ｍｍ以下で、スロット孔２０の縦ピッチＰは、１．５〜３０ｍｍの範囲内であることが好ましい。この理由は、以下の通りである。
【００３２】
スロット孔内に突出部を有しない陰極線管において、モアレ波長をλ、ブリッジ縦ピッチをａ、走査線間隔をｓ、モアレモード次数をｎとすると、
λ＝１／（ｎ／２ｓ−ｓ／ａ）
の関係がある。
【００３３】
複数放送方式の場合、各放送形式に対して、モアレ縞発生の抑制を一つのシャドウマスク構造でまかなうためには、ｓ／ａの値は、ＮＴＳＣでは９／８、ＰＡＬでは１１／８が妥協値である。このため、ブリッジ縦ピッチａが１ｍｍ以下であれば、複数放送方式の場合であっても、一つのシャドウマスク構造でモアレ縞発生を抑制するための解を見出すことができる。
【００３４】
すなわち、ブリッジ縦ピッチａを、本発明の突出部２２ａ、２２ｂの縦ピッチｅに置き換えてみれば、モアレ縞発生の抑制のためには、縦ピッチｅは１ｍｍ以下が好ましいことになる。
【００３５】
また、スロット孔２０の縦ピッチＰについては、前記のような範囲であれば、図４に示したように、ドーミング量を９０μｍ程度より小さくすることができる。さらに、一定の輝度特性及び機械的強度を確保しつつ、シャドウマスクの振動を実用範囲内に抑えることができる。
【００３６】
すなわち、縦ピッチＰが小さ過ぎるとドーミング量が大きく、輝度特性も確保できず、逆に大き過ぎるとドーミング量は小さくなるが、機械的強度が不足し振動も大きくなってしまう。前記のような範囲内であれば、振動については、プレス成形による従来のプレスマスク程度に抑えることができる。
【００３７】
さらに、突出部２２ａ、２２ｂの一対分の面積は、ブリッジ２０の１個分の面積の２０〜１２０％の範囲内であることが好ましい。このような範囲が好ましいのは、突出部の面積がブリッジに対して小さ過ぎると、モアレ縞発生の抑制が十分でなく、逆に大き過ぎると、輝度特性が低下するからである。
また、突出部の縦ピッチの値を、シャドウマスクの部分的または領域的に異なるようにすることが好ましい。例えばモアレ縞の出易いシャドウマスクの周辺箇所では突出部の縦ピッチを細かくし、モアレ縞にほとんど影響しない中央付近では突出部の縦ピッチを粗く設計すれば、モアレ縞の抑制の効果をより高めた陰極線管を実現できる。
【００３８】
また、ブリッジの縦ピッチの値を、シャドウマスクの部分的または領域的に異なるようにすることが好ましい。例えば、図２（ｂ）に示したようなブリッジの縦ピッチｐを、シャドウマスクの中央付近では１５ｍｍ程度とし、横方向末端付近では５〜１０ｍｍ程度となるような構造とする。このようにすると、無孔領域と有孔領域との強度差によってブリッジへ応力が集中し易い横方向周辺において、ブリッジに印加される応力を低減できるので、シャドウマスクの破れを防止することができる。
【００３９】
また、別の例としては、ブリッジの縦ピッチｐを、シャドウマスク中央で５〜１０ｍｍ程度とし、横方向周辺で１０〜１５ｍｍ程度となるように徐々に変化させる構造としてもよい。このようにすると、シャドウマスク横方向周辺において蓄積されやすいマスク横方向への熱ドーミング量を抑えることができる。この場合には、横方向周辺でブリッジの数が少なくなるので強度不足になり易いが、例えば、周辺におけるブリッジの縦方向幅を広く設定すれば、ブリッジに印加される応力を低減できるので、シャドウマスクの破れを防ぐことができる。
【００４０】
さらに、これら二つの構造を併せ持つような構造としてもよい。つまり、ブリッジの縦ピッチｐの値を、中央から横方向周辺へ行くにつれて徐々に大きくし、左右末端付近では再び小さい値とする。このようにすると、熱ドーミング量と、無孔領域と有孔領域との強度差によるシャドウマスクの破れとの双方を抑制することができる。
【００４１】
また、突出部の縦方向幅を、シャドウマスクの部分的または領域的に異なるようにすることが好ましい。シャドウマスクへ入射する電子ビームは、シャドウマスクの部位によって入射角度が異なっている。特に、シャドウマスクの周辺部では鋭い角度となっているので、電子ビームがブリッジや突出部に遮られる割合には、ブリッジや突出部の幅以外にシャドウマスクの厚みによって遮られるものも含まれるので周辺部では、輝度が低下する傾向にある。このため、周辺部で突出部の縦方向幅を狭めることにより、周辺部の輝度を向上させることができる。
【００４２】
また、突出部は、シャドウマスクの中央部には設けず周辺部にのみに設けてもよい。例えば、シャドウマスクの中央部では、通常の略矩形状の開孔とブリッジとを備えた構成とし、シャドウマスクの周辺部へ行くにつれて、徐々にブリッジの縦ピッチを拡げて開孔の縦方向長さを長くするとともに、開孔内に突出部を設けこの突出部の数を徐々に増やす構成とする。
【００４３】
このようにすることで、シャドウマスクに張力を与える基準となる中央部においてシャドウマスクの強度を確保することができるとともに、熱ドーミングの影響を受け易い周辺部において特に熱ドーミング量の蓄積が起こらないようにすることができる。この際、シャドウマスク周辺部におけるブリッジの縦ピッチは大きくなるので、周辺部が強度不足となり易いが、これについては、ブリッジの縦方向幅を広く設定することでブリッジの応力を緩めることができるので、対処が可能である。
【００４４】
本実施形態では、突出部２２ａと２２ｂとは分離して形成され、先端部が互いに対向した配置となっており、このことは前記のような効果が得られることに加えて、地磁気特性が向上するという別の効果が得られる。
【００４５】
この地磁気特性の向上について、以下に説明する。陰極線管は、地磁気のような外部からの磁気によって、電子ビームが本来の軌道から大きくそれることのないよう、磁気シールド等の部品を用いて外部からの磁気を遮断している。一般に、電子ビームが地磁気によって作用されて色ずれが生ずることを地磁気特性という。色選別を行なうシャドウマスクもこの外部からの磁気を遮断して地磁気特性を向上させる役割を持っており、特に、陰極線管のパネルにほぼ鉛直に向かう地磁気を、シャドウマスクを伝わって沿面方向に流すことで、電子ビームに直接作用させないようにしている。
【００４６】
ここで、シャドウマスクのブリッジのピッチが大きい場合に、スロット内に突出部を有さないシャドウマスクでは、地磁気はシャドウマスクの垂直方向には、流れ易いが、ブリッジが少ないため、水平方向には流れにくい。このため、特にフレームとシャドウマスクとが近づく周辺部などでは、シャドウマスクに溜まった地磁気が管内方向へ浮遊する場合が生じたり、また、スロット孔の面積が大きいため地磁気が直接孔を通り抜けることも多く、これらによって電子ビームの軌道が変化して色ずれが生じ易い。
【００４７】
これに対し、本実施形態では、スロット孔に互いに近づいて対向する突出部を備えることによって、対向し合う突出部同士（図２（ｂ）における２２ａと２２ｂ）が地磁気を渡す役割を果たすため、垂直方向の地磁気の流れに加え、水平方向へはブリッジ部分のみならず突出部でも地磁気が流れる。このため、地磁気が浮遊することがなくなり、また、スロット孔を通り抜けようとする地磁気をこの突出部で拾う効果もあるため、電子ビームが地磁気により受ける悪影響が少ない。したがって、地磁気による色ずれの少ない陰極線管を得ることができる。
【００４８】
【発明の効果】
以上のように、本発明の陰極線管によれば、テンション方式のシャドウマスクにおいてスロット孔内に突出部を形成することにより、機械的強度及び輝度を確保しつつ、ドーミング量の抑制と、モアレ縞発生の抑制とを両立させることができ、さらに地磁気特性も向上させることができる。
また、このようなシャドウマスクのブリッジや突出部の縦ピッチをシャドウマスクの位置によって異なるようにすることにより、シャドウマスクの強度確保、熱ドーミング量の低減、及び輝度劣化の抑制といった効果も得られる。
【図面の簡単な説明】
【図１】本発明の一実施形態に係る色選別電極の斜視図
【図２】本発明の一実施形態に係るスロット型シャドウマスクの平面図
【図３】従来のカラー陰極線管の一例の断面図
【図４】ブリッジピッチとドーミング量との関係の一例を示す図
【図５】従来のスロット型シャドウマスクの一例の平面図
【図６】本発明の一実施形態に係るスロット孔及び突出部の平面図
【図７】本発明の別の一実施形態に係るスロット孔及び突出部の平面図
【符号の説明】
１０  マスクフレーム
１１  支持体
１２  弾性部材
１３  シャドウマスク
１４，２０，２３，２５  スロット孔
２１  ブリッジ
１４ａ，１４ｂ，２２ａ，２２ｂ，２４ａ，２４ｂ，２６ａ，２６ｂ  突出部
【図１】
0003835728.tif 000002
【図２】
0003835728.tif 000003
【図３】
0003835728.tif 000004
【図４】
0003835728.tif 000005
【図５】
0003835728.tif 000006
【図６】
0003835728.tif 000007
【図７】
0003835728.tif 000008